(57)【要約】
【課題】  非常に高い防犯性を維持することができ、安全な状態で来訪者との対応を行う
ことができ、デザイン性にも優れた防犯ドアシステムを提供すること。
【解決手段】  ドアを収容するドア枠５０と、ドア枠５０に開閉自在に連結され、来訪者
との対応可能な開口部１１が形成された外側ドア１０と、ドア枠５０に開閉自在に連結さ
れ、外側ドア１０と一体化された状態でドア枠５０に収容される内側ドア２０と、外側ド
ア１０に配設され、入力情報と登録情報とが一致した場合に解錠可能なロック機構を備え
た外側施錠手段３０と、外側ドア１０で隠れるように内側ドア２０に配設された内側施錠
手段４０Ａ、４０Ｂとを装備する。
【選択図】  図１
0003101279.tif 000002
【実用新案登録請求の範囲】
【請求項１】
ドアを収容するドア枠と、
該ドア枠に開閉自在に連結され、来訪者との対応可能な開口部が形成された外側ドアと
、
前記ドア枠に開閉自在に連結され、前記外側ドアと一体化された状態で前記ドア枠に収
容される内側ドアと、
前記外側ドアに配設され、入力情報と登録情報とが一致した場合に解錠可能なロック機
構を備えた第１の施錠手段と、
前記外側ドアで隠れるように前記内側ドアに配設された、少なくとも１つ以上の第２の
施錠手段とを備えていることを特徴とする防犯ドアシステム。
【請求項２】
前記第１の施錠手段が、前記外側ドアの外面に配置され、少なくとも解錠情報を入力す
るための入力手段を備えた本体部と、所定の施錠及び解錠操作により動作する第１のロッ
ク部材と、前記外側ドアの内側から前記第１のロック部材の操作を行うための第１の操作
部とを備え、
前記第２の施錠手段の各々が、前記内側ドアの外面に配置され、鍵孔を有する鍵挿入部
と、所定の施錠及び解錠操作により動作する第２のロック部材と、前記内側ドアの内側か
ら前記第２のロック部材の操作を行うための第２の操作部とを備え、
前記外側ドアの内面に、前記鍵挿入部を収容する凹部が形成されるとともに、前記内側
ドアの外面に、前記第１の操作部を収容する凹部が形成されていることを特徴とする請求
項１記載の防犯ドアシステム。
【請求項３】
前記内側ドアが複数枚のドア部材で構成され、これらドア部材が折畳機能を有する折畳
手段により連結されていることを特徴とする請求項１又は請求項２記載の防犯ドアシステ
ム。
【請求項４】
前記内側ドアが、前記外側ドアに形成された開口部に対応する位置に採風手段を備えて
いることを特徴とする請求項１〜３のいずれかの項に記載の防犯ドアシステム。
【請求項５】
前記採風手段が、内側からのみ開閉可能な窓部で構成されていることを特徴とする請求
項４記載の防犯ドアシステム。
【請求項６】
前記採風手段が、採風面と非採風面とを備えた窓部で構成されていることを特徴とする
請求項４記載の防犯ドアシステム。
【考案の詳細な説明】
【技術分野】
【０００１】
本考案は防犯ドアシステムに関し、より詳細には一戸建て住宅、マンションなどの各種
建造物に適用される、外側ドアと内側ドアとを備えた防犯ドアシステムに関する。
【背景技術】
【０００２】
近年、一戸建て住宅やマンション等では、玄関などの出入り口からの不法な侵入を防止
するために、一枚扉からなるドアにピッキングの困難な鍵を取り付けたり、複数個の鍵を
取り付けたりすることが行われている。このような処置により、防犯効果をある程度は高
めることができるものの、ピッキング行為そのものを阻止するには至っていない。
【０００３】
また、一戸建て住宅やマンション等における玄関は、通常、居間等の居室から目の届か
ない箇所に位置していることが多く、防犯の観点から完全に閉め切られた状態になってい
る。玄関からの風通しを良くするために、玄関ドアを開けることは、防犯面で不安であり
、マンション等では、特に玄関内部は暗くなりがちである。そこで、下記の特許文献１に
は、防犯上問題を生じることなく、風を流通させることができ、玄関内部を明るくするこ
とのできる２重扉構造の玄関が開示されている。
【０００４】
特許文献１に開示された２重扉構造の玄関では、風通しを良くしたい時には、室内側の
ガラス戸を開けた状態で、室外側のスチール格子戸で出入り口を閉め、また、日中、玄関
部分を明るくしたい時には、室外側のスチール格子戸を開けた状態で、室内側のガラス戸
で出入り口を閉じることができるようになっている。
【０００５】
しかしながら、特許文献１に開示された２重扉構造の玄関では、出入口をスチール格子
戸で閉じることにより、風通しをよくしつつ防犯性も維持することができるとしているが
、出入口をスチール格子戸で閉じるとしか記載されておらず、単にスチール格子戸で閉じ
るだけでは、従来の玄関ドアと同様、十分な防犯性を維持することはできないといった問
題点があった。
【０００６】
また、上記２重扉構造の玄関では、内側扉が室内側に揺動できる大きなスペースが必要
となり、玄関内に十分広いスペースが確保できない場合、出入りがしづらくなるといった
問題点があった。
【０００７】
また、上記２重扉構造の玄関では、外側扉を閉めた状態で来訪者の確認をすることは可
能であるが、全面網戸付きのスチール格子戸で構成されているので、配達物の受け取りや
サイン等を行うためには、一旦、外側扉を開けなければならないため、来訪者の不意の侵
入等に対する不安感を与えてしまうといった問題点があった。
【特許文献１】特開平１０−８８３８号公報
【考案の開示】
【課題を解決するための手段及びその効果】
【０００８】
本考案は上記課題に鑑みなされたものであって、非常に高い防犯性を維持することがで
き、安全な状態で来訪者との対応を行うことができ、また、出入りしやすいようにドアの
開閉を行うことのできる、デザイン性にも優れた防犯ドアシステムを提供することを目的
としている。
【０００９】
上記目的を達成するために本考案に係る防犯ドアシステム（１）は、ドアを収容するド
ア枠と、該ドア枠に開閉自在に連結され、来訪者との対応可能な開口部が形成された外側
ドアと、前記ドア枠に開閉自在に連結され、前記外側ドアと一体化された状態で前記ドア
枠に収容される内側ドアと、前記外側ドアに配設され、入力情報と登録情報とが一致した
場合に解錠可能なロック機構を備えた第１の施錠手段と、前記外側ドアで隠れるように前
記内側ドアに配設された、少なくとも１つ以上の第２の施錠手段とを備えていることを特
徴としている。
【００１０】
上記防犯ドアシステム（１）によれば、前記外側ドアを閉じた状態で、前記内側ドアさ
え開ければ前記開口部を通じて、内側から配達物の受け取りやサインなどを行うことが可
能となり、来訪者の不意の侵入を防止することができ、住人は、安心して来訪者との対応
を行うことができる。
【００１１】
また、前記内側ドアは、前記外側ドアと一体化された状態で前記ドア枠に収容されるの
で、外部からは、２重ドアであることに気づきにくく、２重ドア特有の物々しい威圧感を
与えることのない、すっきりとしたデザイン性に優れた外観とすることができる。
【００１２】
また、前記外側ドアに設けられる第１の施錠手段が、入力情報と登録情報とが一致した
場合に解錠可能なロック機構を備えているものであるので、登録情報と一致する情報を入
力しなければ解錠されないため、特殊な工具を利用するピッキングによる不法な解錠を阻
止することができる。また、バール等で前記外側ドアをこじ開けたとしても、外観からで
は分からなかった前記内側ドアの第２の施錠手段をさらに解錠しなければならないため、
短時間で解錠することは難しく、侵入を諦めさせる効果を高めることができ、極めて高い
防犯性を維持することができる。
【００１３】
また本考案に係る防犯ドアシステム（２）は、上記防犯ドアシステム（１）において、
前記第１の施錠手段が、前記外側ドアの外面に配置され、少なくとも解錠情報を入力する
ための入力手段を備えた本体部と、所定の施錠及び解錠操作により動作する第１のロック
部材と、前記外側ドアの内側から前記第１のロック部材の操作を行うための第１の操作部
とを備え、前記第２の施錠手段の各々が、前記内側ドアの外面に配置され、鍵孔を有する
鍵挿入部と、所定の施錠及び解錠操作により動作する第２のロック部材と、前記内側ドア
の内側から前記第２のロック部材の操作を行うための第２の操作部とを備え、前記外側ド
アの内面に、前記鍵挿入部を収容する凹部が形成されるとともに、前記内側ドアの外面に
、前記第１の操作部を収容する凹部が形成されていることを特徴としている。
【００１４】
上記防犯ドアシステム（２）によれば、前記第１のロック部材により、前記外側ドアが
前記ドア枠にしっかりと固定されるとともに、前記第２のロック部材により、前記内側ド
アが前記ドア枠にしっかりと固定され、また、前記外側ドアと前記内側ドアとが前記ドア
枠体に収容された場合、前記第１の施錠手段の操作部と前記第２の施錠手段の鍵挿入部と
が、それぞれに対応する凹部に収容されるので、不法な解錠操作がより困難となり、防犯
効果をより一層高めることができる。また、前記外側ドアと前記内側ドアとを閉じた時の
ドアの厚みが大きくならないコンパクトな２重ドアとすることができる。
【００１５】
また本考案に係る防犯ドアシステム（３）は、上記防犯ドアシステム（１）又は（２）
において、前記内側ドアが複数枚のドア部材で構成され、これらドア部材が折畳機能を有
する折畳手段により連結されているものであることを特徴としている。
【００１６】
上記防犯ドアシステム（３）によれば、前記内側ドアが、複数枚のドア部材で構成され
、これらドア部材が折畳機能を有する折畳手段により連結されているので、前記内側ドア
を折り畳みながら出入りを行うことが可能となり、前記内側ドアの開閉のためのスペース
を小さくすることができる。したがって、スペースがあまり大きく取れない玄関等に取り
付けても出入りがしやすいものとすることができる。                                
【００１７】
また本考案に係る防犯ドアシステム（４）は、上記防犯ドアシステム（１）〜（３）の
いずれかにおいて、前記内側ドアが、前記外側ドアに形成された開口部に対応する位置に
採風手段を備えていることを特徴としている。
【００１８】
上記防犯ドアシステム（４）によれば、前記内側ドアが、前記外側ドアに形成された開
口部に対応する位置に採風手段を備えているので、前記外側ドアと前記内側ドアとを施錠
した状態、すなわち、防犯性を維持した状態で前記採風手段を通じて建物内の風通しを良
くすることができる。
【００１９】
また本考案に係る防犯ドアシステム（５）は、上記防犯ドアシステム（４）において、
前記採風手段が、内側からのみ開閉可能な窓部で構成されていることを特徴としている。
【００２０】
上記防犯ドアシステム（５）によれば、前記採風手段が、内側からのみ開閉可能な窓部
で構成されているので、該窓部を内側から開けることにより、簡単に建物内の風通しを良
くすることができる。
【００２１】
また本考案に係る防犯ドアシステム（６）は、上記防犯ドアシステム（４）において、
前記採風手段が、採風面と非採風面とを備えた窓部で構成されていることを特徴として
いる。
【００２２】
上記防犯ドアシステム（６）によれば、前記採風手段である窓部の面を入れ替えること
により、すなわち、前記採風面を外側に向けて配置することにより、風通しを良くするこ
とができ、一方、外出時などは、前記非採風面を外側に向けて設置することにより、外観
上何ら違和感を与えることなく防犯性を低下させることのないシステムとすることができ
る。
【考案を実施するための最良の形態】
【００２３】
以下、本考案に係る防犯ドアシステムの実施の形態を図面に基づいて説明する。図１は
実施の形態（１）に係る防犯ドアシステムを室外側から見た場合の正面図、図２は外側ド
ア開放時の同正面図、図３は同背面図、図４は内側ドア開放時の同背面図である。
【００２４】
実施の形態（１）に係る防犯ドアシステムは、外側ドア１０と、内側ドア２０と、外側
ドア１０に配設された外側施錠手段３０と、内側ドア２０に配設された内側施錠手段４０
Ａ、４０Ｂと、外側ドア１０及び内側ドア２０を収容するドア枠５０とを含んで構成され
ている。
【００２５】
外側ドア１０は、略口型形状をしたドア枠５０の一側面に蝶番５１を介して室外側に開
閉自在に連結されている。また、外側ドア１０には、複数本のスリット状の開口部１１が
形成されているとともに、外側ドア１０の内面には、内側施錠手段４０Ａ、４０Ｂの鍵挿
入部４１Ａ、４１Ｂが収容される凹部１２、１３が形成されている。また、外側ドア１０
の外面には、開閉用の取っ手１４が設けられている。
【００２６】
内側ドア２０は、ドア枠５０の一側面に蝶番５２を介して室内側に開閉自在に連結され
ている。また、内側ドア２０の外面には、縦長の凸部２１が形成されており、外側ドア１
０と内側ドア２０とをドア枠５０に収容すると、外側ドア１０の開口部１１に内側ドア２
０の凸部２１が嵌め合わされるようになっている。また、内側ドア２０の外面には、外側
施錠手段３０の操作部３５を収容する凹部２２が形成されており、内側ドア２０の内面に
は、開閉用の取っ手２３が設けられている。
【００２７】
外側ドア１０及び内側ドア２０は、アルミ、スチール、ステンレスなどの各種の金属材
料や、木材などを加工して形成することができ、内側ドア２０の凸部２１に、防犯ガラス
等を嵌め込むようにしても良い。
【００２８】
また、外側ドア１０の戸先中央付近には、外側ドア１０とドア枠５０とを固定する第１
の施錠手段として、室外側からは、入力した番号と登録された番号とが一致した場合にの
み解錠可能なロック機構を備えた外側施錠手段３０が配設されている。
【００２９】
外側施錠手段３０は外側ドア１０の外面に配置され、暗証番号の入力ボタン３１とノブ
３２とを備えた本体部３３と、所定の施錠及び解錠操作により動作する外側デッドボルト
３４と、外側ドア１０の内側から外側デッドボルト３４の操作を行う操作部３５とを含ん
で構成されており、施錠時には、外側デッドボルト３４がドア枠５０の戸先収容面に設け
られた受座５３に収容されるようになっている。                      
【００３０】
また、内側ドア２０の戸先部分には、内側ドア２０とドア枠５０とを固定する第２の施
錠手段として、室外側からは、鍵を挿入して回動させることにより解錠可能なロック機構
を備えている２つの内側施錠手段４０Ａ、４０Ｂが上下に配設されている。
【００３１】
内側施錠手段４０Ａ、４０Ｂは、内側ドア２０の外面に配置され、鍵孔を有する鍵挿入
部４１Ａ、４１Ｂと、所定の施錠及び解錠操作により動作する内側デッドボルト４２Ａ、
４２Ｂと、内側ドア２０の内側から内側デッドボルト４２Ａ、４２Ｂの操作を行うサムタ
ーン４３Ａ、４３Ｂとを含んで構成されており、施錠時には、内側デッドボルト４２Ａ、
４２Ｂがドア枠５０の戸先収容面に設けられた受座５４Ａ、５４Ｂに収容されるようにな
っている。
【００３２】
また、ドア枠５０は、外側ドア１０と内側ドア２０との開閉動作を一側面で支持すると
ともに、外側ドア１０と内側ドア２０とを閉時には収容し、ドア枠５０の収容面には、外
側ドア１０及び内側ドア２０の周縁部が当接する戸当たり５５が設けられている。
【００３３】
また、内側ドア２０の外面周縁部は、戸当たり５５の凸形状にあわせて、段差状に加工
されており、外側ドア１０の内面と内側ドア２０の外面とが略密接した形態で収容される
ようになっている。
【００３４】
次に実施の形態（１）に係る防犯ドアシステムの開閉動作について説明する。まず、外
から解錠する場合、外側ドア１０に設けられた外側施錠手段３０の入力ボタン３１を使っ
て番号を入力する。ノブ３２は、入力番号と登録番号とが一致している場合にのみ所定の
解錠方向に回転させることができるようになっており、入力番号と登録番号とが一致して
いれば、ノブ３２の回転操作により外側デッドボルト３４が受座５３から外れて解錠され
、外側ドア１０を開けることができる。
【００３５】
次に、内側ドア２０を解錠するには、内側ドア２０に設けられた内側施錠手段４０Ａ、
４０Ｂの鍵挿入部４１Ａ、４１Ｂにそれぞれ鍵を挿入して、所定方向に回転させる。鍵が
正しいものであれば、鍵の回転操作により内側デッドボルト４２Ａ、４２Ｂが、受座５４
Ａ、５４Ｂから外れて解錠され、内側ドア２０を開けることができ、中に入ることができ
るようになっている。
【００３６】
そして、各ドアの施錠は、まず、外側ドア１０をドア枠５０に収容（戸当り５５に当接
）させて、外側施錠手段３０の操作部３５のつまみを施錠方向に回転させると、外側デッ
ドボルト３４が受座５３に収容されて、外側ドア１０が施錠され、次に、内側ドア２０を
ドア枠５０に収容（戸当り５５に当接）させて、内側施錠手段４０Ａ、４０Ｂのサムター
ン４３Ａ、４３Ｂを施錠方向に回転させると、内側デッドボルト４２Ａ、４２Ｂが受座５
４Ａ、５４Ｂ部に収容されて、内側ドア２０が施錠され、外側ドア１０と内側ドア２０と
の施錠操作が完了する。
【００３７】
来訪者があった場合は、内側ドア２０に設けられた内側施錠手段４０Ａ、４０Ｂのサム
ターン４３Ａ、４３Ｂを所定の解錠方向に回転させて、内側デッドボルト４２Ａ、４２Ｂ
を受座５４Ａ、５４Ｂからそれぞれ外して解錠し、内側ドア２０のみを開けて、外側ドア
１０を施錠した状態のまま開口部１１を通じて来訪者との対応（配達物の受け取りやサイ
ンなど）を行うことができるようになっている。
【００３８】
また、外出する場合は、上記と同様に内側施錠手段４０Ａ、４０Ｂのサムターン４３Ａ
、４３Ｂを所定の解錠方向に回転させて、内側デッドボルト４２Ａ、４２Ｂを受座５４Ａ
、５４Ｂからそれぞれ外して内側ドア２０を解錠し、次に外側施錠手段３０の操作部３５
を所定の解錠方向に回転させて、外側デッドボルト３４を受座５３から外して外側ドア１
０を解錠し、外に出ることができるようになっている。
【００３９】
そして、各ドアの施錠は、まず、内側ドア２０をドア枠５０に収容（戸当り５５に当接
）させて、内側施錠手段４０Ａ、４０Ｂの鍵挿入部４１Ａ、４１Ｂに挿入した鍵を所定の
施錠方向に回転させ、内側デッドボルト４２Ａ、４２Ｂを受座５４Ａ、５４Ｂに収容させ
、内側ドア２０を施錠する。続いて、外側ドア１０をドア枠５０に収容（戸当り５５に当
接）させて、外側施錠手段３０の外側操作部３５のノブ３２を所定の施錠方向に回転させ
ると、外側デッドボルト３４が受座５３に収容されて、外側ドア１０が施錠され、外側ド
ア１０と内側ドア２０との施錠操作が完了するようになっている。
【００４０】
上記実施の形態（１）に係る防犯ドアシステムによれば、外側ドア１０を施錠した状態
で、内側ドア２０さえ開ければ開口部１１を通じて、内側から配達物の受け取りやサイン
などを行うことができ、来訪者の不意の侵入を防止することができ、住人は、安心して来
訪者との対応を行うことができる。
【００４１】
また、内側ドア２０は、外側ドア１０と一体化された状態でドア枠５０に収容されるの
で、外からは、２重ドアであることに気づきにくく、２重ドア特有の物々しい威圧感を与
えることのない、すっきりとしたデザイン性に優れた外観とすることができる。
【００４２】
また、外側ドア１０に設けられる第１の施錠手段３０が、入力番号と登録番号とが一致
した場合に解錠可能なロック機構を備えているものであるので、登録番号と一致する番号
を入力しなければ解錠されないため、特殊な工具を利用するピッキングによる不法な解錠
を阻止することができる。また、バール等で外側ドア１０をこじ開けたとしても、外観か
らでは分からなかった内側ドア２０の第２の施錠手段４１Ａ、４１Ｂをさらに解錠しなけ
ればならないため、短時間で解錠することは難しく、侵入を諦めさせる効果を高めること
ができ、極めて高い防犯性を維持することができる。
【００４３】
なお、外側ドア１０の開口部１１は、外側ドア１０を閉じた状態で、来訪者との対応が
でき、しかも防犯性を確保できる大きさであればよく、スリット形状の他に種々のデザイ
ン形状を採用することにより、デザイン性に優れたものとすることができる。
【００４４】
図５は実施の形態（２）に係る防犯ドアシステムを室外側から見た場合における外側ド
ア開放時の正面図、図６は同背面図である。実施の形態（２）に係る防犯ドアシステムが
、実施の形態（１）に係る防犯ドアシステムと相違するのは、内側ドア２０Ａの構造であ
り、以下、その相違点について説明し、他の同一機能を有する構成部品については同一符
号を付して、その説明を省略する。
【００４５】
内側ドア２０Ａは、２枚のドア部材２４、２５で構成され、これらドア部材２４、２５
が折畳機能を有する蝶番２６により連結されており、内側ドア２０Ａの開閉時に室内側へ
２つ折りできるように構成されている。なお、内側ドア２０Ａの構成に合わせて、内側ド
ア２０Ａの凸部２１Ａ及び外側ドア１０の開口部の形成箇所を変更している。          
【００４６】
図７（ａ）〜（ｄ）は、実施の形態（２）に係る防犯ドアシステムの内側ドア２０Ａの
開閉動作を説明するための図であり、図５のVII −VII 線断面（上面図）を示している。
【００４７】
図７（ａ）は、外側ドア１０、内側ドア２０Ａともに施錠された状態を示しており、こ
の状態から内側ドア２０Ａを室内側から開ける場合、まず、内側施錠手段４０Ａ、４０Ｂ
を解錠して、ドア部材２４、２５の連結部分（蝶番２６）を支点として、ドア部材２４を
室内側へ折り返す。図７（ｂ）は略９０°、図７（ｃ）は略１８０°、ドア部材２４が折
り返された状態を示している。
【００４８】
そして、ドア部材２４を略１８０°折り返した状態で、図７（ｄ）に示すように、ドア
枠５０との連結部分（蝶番５２）を支点として、ドア部材２５を室内側へ折り返すことが
できるようになっている。
【００４９】
上記実施の形態（２）に係る防犯ドアシステムによれば、内側ドア２０Ａが、２枚のド
ア部材２４、２５で構成され、これらドア部材２４、２５が折畳機能を有する蝶番２６に
より連結されているので、内側ドア２０Ａを室内側へ折り畳みながら出入りを行うことが
可能となり、内側ドア２０Ａの開閉のためのスペースを小さくすることができる。したが
って、スペースが大きく取られていない玄関等においても出入りがしやすくなる。
【００５０】
なお、上記実施の形態（２）では、内側ドア２０Ａが２枚のドア部材２４、２５で構成
されている形態について説明したが、ドア部材は、３枚以上で構成されていてもよい。ま
た、折畳手段は、蝶番２６の他に、ドア枠５０の上下にスライドレールを設け、ドア部材
２４の戸先部分をスライドレールに沿って移動させることで、ドア部材２４、２５を折り
畳みながら開閉できる構成としてもよい。
【００５１】
図８は実施の形態（３）に係る防犯ドアシステムを室外側から見た場合の正面図、図９
は同背面図である。また、図１０は図９におけるX −X 線断面図である。実施の形態（３
）に係る防犯ドアシステムが、実施の形態（１）に係る防犯ドアシステムと相違するのは
、内側ドア２０Ｂの構造であり、以下、その相違点について説明し、同一機能を有する構
成部品には同一符号を付して、その説明を省略する。
【００５２】
内側ドア２０Ｂには、外側ドア１０に形成された４か所の開口部１１と対向する位置に
それぞれ開口部２７が形成されており、開口部２７の１か所は、内側からのみ開閉可能な
通気用スライド窓２８が配設されており、他の３か所には、ガラス板２９が嵌め込まれて
いる。                                                                          
【００５３】
通気用スライド窓２８は、開口部２７の枠内で上下にスライドできるように配設された
上部ガラス板２８ａと、固定された下部ガラス板２８ｂと、上部ガラス板２８ａをロック
するためのストッパ２８ｃと、網戸２８ｄとを含んで構成されている。
このように構成された防犯ドアシステムでは、風通しを良くしたいときは、ストッパ２
８ｃを解除して、上部ガラス板２８ａを下方にスライドさせる。すると、網戸２８ｄを介
して通気口を確保することができるようになっている。
【００５４】
上記実施の形態（３）に係る防犯ドアシステムによれば、内側ドア２０Ｂが、外側ドア
１０に形成された開口部１１に対応する位置に内側からのみ開閉可能な通気用スライド窓
２８を備えているので、外側ドア１０と内側ドア２０Ａとを施錠した状態、すなわち、高
い防犯性を維持した状態で、上部ガラス板２８ａをスライドさせて通気口を確保すること
により、住居内の風通しを良くすることができる。また、内側ドア２０Ｂの通気用窓部２
６に網戸２８ｄが設けられているので、住居内への虫等の侵入を防ぐことができる。
なお、実施の形態（３）では、通気用スライド窓２８を１か所にのみ設けるようになっ
ているが、２か所以上設けても良い。
【００５５】
また、実施の形態（３）に係る防犯ドアシステムでは、採風手段として、内側ドア２０
Ｂの開口部２７に通気用スライド窓２８を設ける場合について説明したが、別の実施の形
態では、図１１に示した採風面（網戸面）６１と非採風面（ガラス面）６２とが対向する
ように形成された中空形状をした窓用部材６０を内側ドア２０Ｂの開口部２７に嵌め込む
構成としてもよい。かかる構成によれば、採風面６１を外側に向けて設置することにより
、風通しを良くすることができ、外出時等においては、非採風面（ガラス面）６２を外側
に向けて設置することにより、防犯効果を低下させることのないシステムとすることがで
きる。
【００５６】
さらに採風手段の別の実施の形態としては、図１２に示すように、採風面（網戸面）６
１ａと断面円弧状の非採風面（ガラス面）６２ａとが対向するように形成され、非採風面
６２ａの上下枠部にレール部６３ａが形成された窓用部材６０Ａを内側ドア２０Ｂの開口
部２７の上下枠部に形成されたレール部２７ａ（図１３）に摺動可能に取り付ける構成と
してもよい。
【００５７】
図１３（ａ）、（ｂ）は、窓用部材６０Ａの採風面（網戸面）６１ａと非採風面（ガラ
ス面）６２ａとの切り替え動作を説明するための図であり、（ａ）は非採風面（ガラス面
）６２ａが室内外に向けて設置された非採風状態、（ｂ）は採風面（網戸面）６１ａが室
内外に向けて設置された採風状態を示す開口部２７付近の部分断面図を示している。    
【００５８】
図１３（ａ）に示した非採風状態から窓用部材６０Ａの枠部６３に設置された回転用取
っ手６４を左方向に引くと、レール部２７ａと噛み合っている窓用部材６０Ａが右回転し
、採風面６１ａが開口面に位置する図１３（ｂ）の採風状態となり、採風面６１ａを通じ
て風通しを良くすることができるようになっている。また、図１３（ｂ）の採風状態から
回転用取っ手６４を右方向に引くと、レール部２７ａと噛み合っている窓用部材６０Ａが
左回転し、図１３（ａ）の非採風状態に戻せるようになっている。
【００５９】
かかる構成によれば、窓用部材６０Ａを回転させることにより採風面（網戸面）６１ａ
と非採風面（ガラス面）６２ａとを簡単に切り替えることができる。また、非採風面（ガ
ラス面）６２ａを曲面状とすることによりデザイン性にも優れたものとすることができる
。なお、窓用部材を回転させる方法は、上記のようなレール部を用いる他に窓用部材の略
中心位置に回転軸を設け、該回転軸を中心に窓用部材を回転させるようにしてもよい。
【００６０】
また、上記実施の形態（１）〜（３）の防犯ドアシステムでは、片開きタイプのドアに
適用した場合について説明したが、親子タイプのドアや、両開きタイプのドアにも同様に
適用することができる。
【図面の簡単な説明】
【００６１】
【図１】本考案の実施の形態（１）に係る防犯ドアシステムを室外側から見た場合を示す正面図である。
【図２】図１に示した防犯ドアシステムの外側ドア開放時の正面図である。
【図３】図１に示した防犯ドアシステムの背面図である。
【図４】図１に示した防犯ドアシステムの内側ドア開放時の背面図である。
【図５】実施の形態（２）に係る防犯ドアシステムを室外側から見た場合を示す外側ドア開放時の正面図である。
【図６】図５に示した防犯ドアシステムの背面図である。
【図７】（ａ）〜（ｄ）は、実施の形態（２）に係る防犯ドアシステムの内側ドアの開閉動作を説明するための図（図５のVII-VII 線断面図）である。
【図８】実施の形態（３）に係る防犯ドアシステムを室外側から見た場合を示す正面図である。
【図９】図８に示した防犯ドアシステムの背面図である。
【図１０】図９に示した防犯ドアシステムのX −X 線断面図である。
【図１１】別の採風手段を示した斜視図である。
【図１２】さらに別の採風手段を示した斜視図である。
【図１３】（ａ）、（ｂ）は、図１２に示した採風手段の動作を説明するための内側ドア開口部付近の部分断面図である。
【符号の説明】
【００６２】
１０  外側ドア
１１  開口部
２０、２０Ａ、２０Ｂ  内側ドア
３０  外側施錠手段
４０  内側施錠手段
５０  ドア枠
【図１】
0003101279.tif 000003
【図２】
0003101279.tif 000004
【図３】
0003101279.tif 000005
【図４】
0003101279.tif 000006
【図５】
0003101279.tif 000007
【図６】
0003101279.tif 000008
【図７】
0003101279.tif 000009
【図８】
0003101279.tif 000010
【図９】
0003101279.tif 000011
【図１０】
0003101279.tif 000012
【図１１】
0003101279.tif 000013
【図１２】
0003101279.tif 000014
【図１３】
0003101279.tif 000015